(57)【要約】      （修正有）【課題】操作が単純で、不要な雑音を拾わない高齢者用集音器を提供する。【解決手段】外部マイク１１からの信号と、内蔵マイク４信号を外部用マイクジャック３で切り替えて必要な方をイコライザー回路１に取り込む。取り込んだ信号は、高音コントロール８と低音コントロール７の信号で希望周波数を取り出し、増幅回路６ａを通し音量コントロール６の信号で希望音量にして外部イヤホン２１にて再生される。遠くの音を集音する場合、外部マイク１１をその音源に近づけ集音する事で解決する。【選択図】図１
0003159527.tif 000002
【実用新案登録請求の範囲】
【請求項１】
本体ケースに、音量コントロール、低音コントロール、高音コントロール、イヤホンジャック、外部用マイクジャック、電源スイッチを有し、内蔵マイク又は外部マイクから入った信号を、イコライザー回路で希望の周波数にして、音声信号を増幅回路に送りイヤホンで聞く事ができる事を特徴とした高齢者用集音器。
【請求項２】
前記高齢者用集音器にはコード巻取り器を具備した外部マイクを備える事を特徴とする請求項１に記載の高齢者用集音器。
【考案の詳細な説明】
【技術分野】
【０００１】
本考案は、高齢者の難聴障害を補う器具に関する考案である。
【背景技術】
【０００２】
従来の補聴器は、装着を目立たなくする為に小型、軽量化を特徴としていた、また、機能としては、電源のオン・オフ、音量以外は、調整できず、調整できるとしても、高齢者には自分で調整するのが困難な構造の物であった。
【０００３】
ポケット携帯型外部イヤホンタイプの器具でも、音量コントロールと電源オン、オフ、スイッチが一体となった物が多く、スイッチを入れる度に音量を調整しなければならない。
【０００４】
超難聴者の場合、音量を大きくすると回りの雑音も大きくなり、より一層聞き取りできなくなる難点があった。（例えば、特許文献１参照。）。
【先行技術文献】
【特許文献】
【０００５】
【特許文献１】特願平８−５０６４３２
【考案の概要】
【考案が解決しようとする課題】
【０００６】
従来の補聴器は、小型軽量を目的とする物が多かった、ポケット型補聴器でも、外耳装着型補聴器でも、マイクが本体に内蔵の物が多かった。外耳装着型補聴器でも、マイクが耳の近くに飛び出ている程度の物がほとんどである。
【０００７】
より遠くの音を聞こうと音量を上げると、同時にマイク周辺の外部雑音も上がり聞き取れない難があった。
【０００８】
さらに、これまでの補聴器は、操作部のボタン類が多機能で有ったり、デザイン的に小さく高齢者には操作できず使用難があった。
【０００９】
この考案は、以上のような問題点を解決しようとするものである。
【課題を解決するための手段】
【００１０】
図１において、外部マイク(11)からの信号と、内蔵マイク(4)信号を外部用マイクジャック(3)で切り替えて必要な方をイコライザー回路(1)に取り込み、高音コントロール(8)と低音コントロール(7)の信号で希望周波数を取り出し、増幅回路(6a)を通し音量コントロール(6)の信号で希望音量にして外部イヤホン(21)から可聴音として聞こえる。
【００１１】
遠くの音を聞こうとする時は、本体の外部用マイクジャック(3)に外部マイクプラグ(10)を差し込み、コード巻取り器(15)からコードを伸ばし外部マイク(11)を目的の所、または  
その近く、まで伸ばし集音する。
【考案の効果】
【００１２】
従来の補聴器では、小型軽量化を特徴とする物が多く、また、携帯用の補聴器でも、音質の再現性に特徴を持たせていたが、高齢者においては、操作の単純さ、不要な雑音を拾わないものが求められている。
【００１３】
本案の様に、図２の様に、音量コントロール(6)、高音コントロール(8)、低音コントロール(7)、電源スイッチ(5)が別々になって、また、電源スイッチ(5)においては、その両側にスイッチを固定するネジ頭(13)が飛び出ている。
【００１４】
上記の様なスイッチ類の配置により、従来のようにスイッチを入れるのに音量ボリュームとスイッチが兼用になっていないため、各種設定は一度設定をすれば、その都度の使い方は、単に電源スイッチ(5)を入れれば直ぐに使用できる。また、電源スイッチ(5)の横にネジ頭(13)が出ているため、誤ってスイッチの入り切りがし難くなっている為、誤動作の防止になる。
【００１５】
遠くの音を聞く場合は、音量を上げるのではなく、本体の外部用マイクジャック(3)に外部マイクプラグ(10)を差し込み、コード巻取り器(15)からコードを伸ばし外部マイク(11)を目的の所、又は、その近くまで伸ばし集音する。
【図面の簡単な説明】
【００１６】
【図１】本考案の回路図を示した図
【図２】本考案の高齢者用集音器を上部から見た傾斜図
【図３】本考案の高齢者用集音器を下部から見た傾斜図
【図４】本考案を内蔵マイクで集音している使用図
【図５】本考案を外部マイクで集音している使用図
【図６】本考案を観光バス等のスピーカーの所に取り付けて、外部マイクで集音している使用図
【考案を実施するための形態】
【００１７】
以下、本考案の高齢者用集音器の好適な実施形態について、図面を参照して詳細に説明する。
【００１８】
本考案の高齢者用集音器  図２ に示すように、逆Ｌ字型の本体ケース(14)に、音量コントロール(6)、高音コントロール(8)、低音コントロール(7)、電源スイッチ(5)、内蔵マイク(4)、外部用マイクジャック(3)、イヤホンジャック(2)、及び図３に示す  外部マイク(11)、コード巻取り器(15)等から構成されている。
【００１９】
内蔵マイク(4)又は外部マイク(11)から取り入れた信号をイコライザー回路(1)に取り入れて、高音コントロール(8)、低音コントロール(7)で希望の周波数に制御され、増幅回路(6a)で希望音量になり外部イヤホン(21)へ可聴音として送りだされる。
【００２０】
遠くの音を聞く場合は、音量を上げるのではなく、コード巻取り器(15)のマイクコードを伸ばし外部マイク(11)を音源に近づけ集音する。
【実施例】
【００２１】
以下添付図面に従って説明する。
図１において、外部マイク(11)からの信号と、内蔵マイク(4)信号を外部用マイクジャック(3)で切り替えて必要な方をイコライザー回路(1)に取り込み、高音コントロール(8)と低音コントロール(7)の信号で希望周波数を取り出し、増幅回路(6a)を通し音量コントロール(6)の信号で希望音量にして外部イヤホン(21) から可聴音として聞こえる。
【００２２】
上記のイコライザー回路(1)は、１チップの集積回路された回路であり、入力した信号は高音、低音コントロールで指定した周波数を取り出し増幅回路(6a)へ送り出す事ができる。
【００２３】
図２においては、電源スイッチ(5)の横にネジ頭(13)が出ているため、誤ってスイッチの入り切りがし難くなっている為、誤動作の防止になる。
【００２４】
図３においては、高齢者用集音器を下部から見た傾斜図で、外部マイクプラグ(10)を差し込む外部用マイクジャック(3)を設けてある。また、外部マイク(11)はコード巻取り器(15)を具備している。
【００２５】
図４においては、高齢者用集音器を内蔵マイク(4)を使用して集音して使用している様子を示している。
【００２６】
図５においては、高齢者用集音器を外部マイク(11)で使用して集音して使用している様子を示している。
【００２７】
図６においては、高齢者用集音器を観光バス内で使用する時、外部マイク(11)を室内スピーカーの近くに置いて、集音している様子を示している。
(参考  バス等の乗り物では、後部の行くほどリアエンジンの為騒音がひどく又後部席は空気の流れにより車内の騒音が一層ひどく一般の補聴器の内部マイクでは、ガイドの説明などを集音する事ができない。)
【符号の説明】
【００２８】
１  イコライザー回路
２  外部イヤホンジャック
３  外部用マイクジャック
４  内蔵マイク
５  電源スイッチ
６  音量コントロール
６a 増幅回路
７  低音コントロール
８  高音コントロール
９  電池
１０  外部マイクプラグ
１１  外部マイク
１３  ネジ頭
１４  本体ケース
１５  コード巻取り器
２０  外部イヤホンプラグ
２１  外部イヤホン
【図１】
0003159527.tif 000003
【図２】
0003159527.tif 000004
【図３】
0003159527.tif 000005
【図４】
0003159527.tif 000006
【図５】
0003159527.tif 000007
【図６】
0003159527.tif 000008
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
本体ケースに、音量コントロール、低音コントロール、高音コントロール、イヤホンジャック、外部用マイクジャック、電源スイッチ、内蔵マイク、イコライザー回路、音声信号増幅回路を有し、内蔵マイク又は外部用マイクジャックから入った信号を、イコライザー回路で希望の周波数にして増幅回路に送りイヤホンで聞く事ができる事を特徴とした高齢者用集音器。
【請求項２】
前記高齢者用集音器にはコード巻取り器を具備した外部マイクを備える事を特徴とする請求項１に記載の高齢者用集音器。